(57)【特許請求の範囲】
【請求項１】
横辺部と縦辺部とからなる略Ｌ字形の断面形状を有する段鼻化粧部材と、平板形状を有する踏み板化粧部材と、平板形状を有する蹴込み板化粧部材とを使用した、両側の階段側板によって挟まれる部分の階段のリフォーム構造であって、
前記段鼻化粧部材には、既存踏み板の段鼻部の上面に沿って配置される前記横辺部の上面に、前記段鼻化粧部材の長手方向に延設する第１凹溝が形成されていると共に、前記横辺部の先端面に、前記段鼻化粧部材の長手方向に延設する呑込み切欠きが形成されており、
前記踏み板化粧部材の段鼻側の端面には、前記呑込み切欠きの呑込み深さよりも幅広の角部上面切欠きが形成されることによって、前記呑込み切欠きに挿入配置される呑込み凸部が、前記踏み板化粧部材の長手方向に延設して設けられており、
前記段鼻部の既存蹴込み板からの突出長さに相当する厚さを有するスペーサ下地材を、前記既存蹴込み板の下端部分に沿って取り付けて、前記蹴込み板化粧部材を、前記段鼻部と前記スペーサ下地材に上端部及び下端部の背面を密着させた状態で固定し、
固定された前記蹴込み板化粧部材の上端部の表面に前記縦辺部の背面を密着させると共に、前記横辺部の下面を前記段鼻部の上面に密着させた状態で、前記段鼻化粧部材を、前記第１凹溝から前記既存踏み板に固定部材を打ち込むことで固定し、
固定された前記段鼻化粧部材の前記呑込み切欠きに前記呑込み凸部を挿入配置すると共に、下面を前記既存踏み板の上面に密着させた状態で、前記踏み板化粧部材を、前記横辺部の先端面との間に保持された前記角部上面切欠きによる第２凹溝から前記既存踏み板に固定部材を打ち込むことで固定して、既存の階段のリフォームを、下段から上段に向けて一段づつ順次行う階段のリフォーム構造。
【請求項２】
前記蹴込み板化粧部材、前記段鼻化粧部材、及び前記踏み板化粧部材は、接着剤を併用して固定される請求項１記載の階段のリフォーム構造。
【請求項３】
前記第１凹溝及び前記第２凹溝には、樹脂目地が装着される請求項１又は２記載の階段のリフォーム構造。
【発明の詳細な説明】
【技術分野】
【０００１】
本発明は、階段のリフォーム構造に関し、特に、段鼻化粧部材と、踏み板化粧部材と、蹴込み板化粧部材とを使用した階段のリフォーム構造に関する。
【背景技術】
【０００２】
古くなった既存の階段をリフォームする場合、これを取り壊して新しい階段に造り換えるには多くの時間と費用がかかることから、既存の階段を化粧部材で覆ってリフォームする方法が種々提案されている（例えば、特許文献１、特許文献２参照）。特許文献１や特許文献２に記載の階段のリフォーム方法やリフォーム階段では、既存の階段の段鼻部を覆う化粧部材と、踏み板を覆う化粧部材と、蹴込み板を覆う化粧部材とを使用し、これらの化粧部材を接着剤等を介して既存の階段に接合固定して、階段のリフォームを行うようになっている。
【先行技術文献】
【特許文献】
【０００３】
【特許文献１】特開２００１−１５９２１９号公報
【特許文献２】特開２００５−９７９４７号公報
【発明の概要】
【発明が解決しようとする課題】
【０００４】
一方、古くなった既存の階段を構成する既存踏み板や既存蹴込み板は、長年の使用によって撓みや摩耗等を生じていて、設計時のものから変形している場合が多い。このため、特に両側に設けられた階段側板によって挟まれる部分の階段のリフォームを行う際には、変形による隙間や誤差を吸収し難いことから、段鼻化粧部材や踏み板化粧部材や蹴込み板化粧部材を、施工現場で微調整しながら変形後の形状に合うように加工し直して取り付けるようになっているが、このような変形を吸収できる部分を設けておくことにより、各化粧部材の取り付け作業をさらに効率良く行うことが可能になる。
【０００５】
また、特許文献１や特許文献２に記載の階段のリフォーム方法やリフォーム階段では、踏み板化粧部材については、外観等を鑑みて、固定ビス等の固定部材を打ち込むことなく、接着剤を用いて既存踏み板の上面に貼り付けることによって固定されることになるが、踏み板化粧部材には人の昇降時に相当の大きさの荷重が負荷されることになるため、接着剤が乾いて踏み板化粧部材が既存踏み板に強固に固着されるまでの間は、階段を昇り降りすることができなくなる。
【０００６】
本発明は、段鼻化粧部材や踏み板化粧部材や蹴込み板化粧部材を、施工現場で微調整しながら両側の階段側板によって挟まれる部分の階段に効率良く取り付けてゆくことができると共に、外観を損うことなく踏み板化粧部材を速やかに既存踏み板に固定することのできる階段のリフォーム構造を提供することを目的とする。
【課題を解決するための手段】
【０００７】
本発明は、横辺部と縦辺部とからなる略Ｌ字形の断面形状を有する段鼻化粧部材と、平板形状を有する踏み板化粧部材と、平板形状を有する蹴込み板化粧部材とを使用した、両側の階段側板によって挟まれる部分の階段のリフォーム構造であって、前記段鼻化粧部材には、既存踏み板の段鼻部の上面に沿って配置される前記横辺部の上面に、前記段鼻化粧部材の長手方向に延設する第１凹溝が形成されていると共に、前記横辺部の先端面に、前記段鼻化粧部材の長手方向に延設する呑込み切欠きが形成されており、前記踏み板化粧部材の段鼻側の端面には、前記呑込み切欠きの呑込み深さよりも幅広の角部上面切欠きが形成されることによって、前記呑込み切欠きに挿入配置される呑込み凸部が、前記踏み板化粧部材の長手方向に延設して設けられており、前記段鼻部の既存蹴込み板からの突出長さに相当する厚さを有するスペーサ下地材を、前記既存蹴込み板の下端部分に沿って取り付けて、前記蹴込み板化粧部材を、前記段鼻部と前記スペーサ下地材に上端部及び下端部の背面を密着させた状態で固定し、固定された前記蹴込み板化粧部材の上端部の表面に前記縦辺部の背面を密着させると共に、前記横辺部の下面を前記段鼻部の上面に密着させた状態で、前記段鼻化粧部材を、前記第１凹溝から前記既存踏み板に固定部材を打ち込むことで固定し、固定された前記段鼻化粧部材の前記呑込み切欠きに前記呑込み凸部を挿入配置すると共に、下面を前記既存踏み板の上面に密着させた状態で、前記踏み板化粧部材を、前記横辺部の先端面との間に保持された前記角部上面切欠きによる第２凹溝から前記既存踏み板に固定部材を打ち込むことで固定して、既存の階段のリフォームを、下段から上段に向けて一段づつ順次行う階段のリフォーム構造を提供することにより、上記目的を達成したものである。
【０００８】
そして、本発明の階段のリフォーム構造は、前記蹴込み板化粧部材、前記段鼻化粧部材、及び前記踏み板化粧部材が、接着剤を併用して固定されることが好ましい。
【０００９】
また、本発明の階段のリフォーム構造は、前記第１凹溝及び前記第２凹溝には、樹脂目地が装着されることが好ましい。
【発明の効果】
【００１０】
本発明の階段のリフォーム構造によれば、段鼻化粧部材や踏み板化粧部材や蹴込み板化粧部材を、施工現場で微調整しながら両側の階段側板によって挟まれる部分の階段に効率良く取り付けてゆくことができると共に、外観を損うことなく踏み板化粧部材を迅速に既存踏み板に固定することができる。
【図面の簡単な説明】
【００１１】
【図１】本発明の好ましい一実施形態に係る階段のリフォーム構造の構成を説明する断面図である。
【図２】本発明の好ましい一実施形態に係る階段のリフォーム構造によってリフォームされる階段の略示斜視図である。
【図３】蹴込み板化粧部材を取り付ける状況を説明する略示斜視図である。
【図４】段鼻化粧部材を取り付ける状況を説明する略示斜視図である。
【図５】段鼻化粧部材を取り付ける状況を説明する略示斜視図である。
【図６】踏み板化粧部材を取り付ける状況を説明する略示斜視図である。
【図７】踏み板化粧部材を取り付ける状況を説明する略示斜視図である。
【図８】（ａ），（ｂ）は、段鼻化粧部材と踏み板化粧部材との固定状態を説明する部分断面図である。
【図９】第１凹溝及び第２凹溝に樹脂目地を装着する状況を説明する略示斜視図である。
【発明を実施するための形態】
【００１２】
図１に示す本発明の好ましい一実施形態に係る階段のリフォーム構造１０は、古くなった既存の階段として、例えば図２に示すような、両側の一対の階段側板としての階段側桁部材３０によって各既存踏み板３１（図１参照）の両端部が支持されている階段に対して、段鼻化粧部材１１や踏み板化粧部材１２や蹴込み板化粧部材１３を用いてリフォームを行う際に採用されたものである。すなわち、既存の階段側桁部材３０や既存踏み板３１や既存蹴込み板３２は、長年の使用によって撓みや摩耗等を生じていて、設計時のものから変形しており、特に両側の階段側板（階段側桁部材）３０によって挟まれる部分の階段は、このような変形の影響を受け易いことから、各化粧部材１１，１２，１３を隙間等を生じさせないいように精度良く取り付けることが難しい状況となっている。本実施形態のリフォーム構造１０は、これらの既存の階段部材の変形の影響によって隙間等が生じないように、施工現場において段鼻化粧部材１１や踏み板化粧部材１２や蹴込み板化粧部材１３の微調整を行いながら、精度良く且つ効率良く階段をリフォームできるようにすると共に、リフォーム中やリフォーム後に、速やかに階段を昇降できるようにするために採用されたものである。
【００１３】
そして、本実施形態の階段のリフォーム構造１０は、図１に示すように、横辺部１４と縦辺部１５とからなる略Ｌ字形の断面形状を有する段鼻化粧部材１１と、平板形状を有する踏み板化粧部材１２と、平板形状を有する蹴込み板化粧部材１３とを使用した、両側の階段側桁部材（階段側板）３０によって挟まれる部分の階段をリフォームするための構造であって、段鼻化粧部材１１には、既存踏み板３１の段鼻部３１ａの上面に沿って配置される横辺部１４の上面に、段鼻化粧部材１１の長手方向に延設する第１凹溝１６が形成されていると共に、横辺部１４の先端面に、段鼻化粧部材１１の長手方向に延設する呑込み切欠き１７が形成されており、踏み板化粧部材１２の段鼻側の端面には、呑込み切欠き１７の呑込み深さよりも幅広の角部上面切欠き１８が形成されることによって、呑込み切欠１７きに挿入配置される呑込み凸部１９が、踏み板化粧部材１２の長手方向に延設して設けられている。
【００１４】
また、本実施形態の階段のリフォーム構造１０は、既存踏み板３１の段鼻部３１ａの既存蹴込み板３２からの突出長さＴに相当する厚さを有するスペーサ下地材２０を、既存蹴込み板３２の表面の下端部分に沿って取り付けて、蹴込み板化粧部材１３を、段鼻部３１ａとスペーサ下地材２０に上端部及び下端部の背面を密着させた状態で固定し、固定された蹴込み板化粧部材１３の上端部の表面に縦辺部１５の背面を密着させると共に、横辺部１４の下面を段鼻部３１ａの上面に密着させた状態で、段鼻化粧部材１１を、第１凹溝１６から既存踏み板３１に固定部材としての固定ビス２１を打ち込むことで固定し、固定された段鼻化粧部材１１の呑込み切欠き１７に呑込み凸部１９を挿入配置すると共に、下面を既存踏み板３１の上面に密着させた状態で、踏み板化粧部材１２を、横辺部１４の先端面との間の保持された角部上面切欠き１８による第２凹溝２２から既存踏み板３１に固定部材としての固定ビス２１を打ち込むことで固定して、既存の階段のリフォームを、下段から上段に向けて一段づつ順次行うようになっている。
【００１５】
本実施形態では、リフォーム構造１０は、階段の下段から上段に向けて、一段ずつ、蹴込み板化粧部材１３、段鼻化粧部材１１、踏み板化粧部材１２の順番で、各段の既存蹴込み板３２や既存踏み板３１を覆ってこれらの化粧部材１１，１２，１３を取付け固定して行くことにより形成される。
【００１６】
なお、本実施形態では、各段の既存蹴込み板３２や既存踏み板３１を覆って化粧部材１１，１２，１３を取り付ける作業に先立って、両側の階段側桁部材３０を内側から覆ってリフォーム用の化粧側板材３３を取り付けておくことが好ましい。すなわち、例えば型取り用のラワン合板を用いて既存の階段の凹凸形状に合わせた型取りを行なって、化粧側板材３３の形状を加工調整し、加工した化粧側板材３３を、接着剤を用いて両側の階段側桁部材３０に内側から固着すると共に、各化粧部材１３，１１，１２によって隠れる部分において、フィニッシュネイル等を階段側桁部材３０に向けて打ち込むことで固定して、化粧側板材３３が、階段側桁部材３０を内側から覆って取り付けられる。
【００１７】
そして、既存の階段の各段において、既存蹴込み板３２を覆って蹴込み板化粧部材１３を取り付けるには、図３に示すように、既存踏み板３１の段鼻部３１ａの既存蹴込み板３２からの突出長さＴである鼻の出寸法（図１参照）を実測し、実測した鼻の出寸法Ｔと同じ厚さとなるように例えば合板や木材からなるスペーサ下地材２０を加工すると共に、両側の階段側桁部材３０の内寸法Ｂ（図４参照）を実測し、実測した内寸法Ｂと同じ長さとなるようにスペーサ下地材２０を切削加工する。しかる後に、加工したスペーサ下地材２０を、床部材２３又は下段の既存踏み板３１を覆う踏み板化粧部材１２（図１参照）に支持させて、既存蹴込み板３２の下端部分に沿って配置すると共に、例えば接着剤と固定ビス２１とを介して、既存蹴込み板３２の表面に密着固定する。
【００１８】
また、床部材２３又は下段の既存踏み板３１を覆う踏み板化粧部材１２からの既存踏み板３１の蹴上げ寸法Ｈを実測する共に、両側の階段側桁部材３０の内寸法Ｂを実測し、これらの実測値に基づいて、蹴込み板化粧部材１３を所定の形状となるように切削加工する。ここで、蹴込み板化粧部材１３としては、例えば突板貼り合板を用いることができる。
【００１９】
さらに、加工した蹴込み板化粧部材１３を、段鼻部３１ａとスペーサ下地材２０に上端部及び下端部の背面を密着させた状態で、例えば接着剤を用いて固着すると共に、段鼻部３１ａやスペーサ下地材２０に向けてフイニィシュネイル２４を打ち込むことによって固定する。
【００２０】
なお、既存の階段の鼻の出寸法Ｔがゼロの場合には、既存踏み板３１の先端に例えば厚さが１２ｍｍ程度の段鼻下地材を取り付けて、この段鼻下地材による段鼻部３１ａと、同じく厚さが１２ｍｍ程度のスペーサ下地材２０とに上端部及び下端部を固定することによって、蹴込み板化粧部材１３を取り付けることもできる。
【００２１】
既存の階段の各段において、既存踏み板３１の段鼻部３１ａを覆って段鼻化粧部材１１を取り付けるには、図４に示すように、両側の階段側桁部材３０の内寸法Ｂを実測し、実測した内寸法Ｂと同じ長さとなるように段鼻化粧部材１１を切削加工する。ここで、段鼻化粧部材１１としては、例えば突板貼り合板を用いて予め工場等において略Ｌ字形の断面形状を有するように加工形成された段鼻化粧部材を用いることができる。段鼻化粧部材１１は、切削加工したものを段鼻部３１ａに仮置きしながら繰り返し切削加工して、既存の階段の変形等にその形状が追随できるように微調整することが好ましい。
【００２２】
また、切削加工した段鼻化粧部材１１は、その裏面の全体に接着剤をムラなく塗布して、固定された蹴込み板化粧部材１３の上端部の表面に縦辺部１５の背面を密着させると共に、横辺部１４の下面を段鼻部３１ａの上面に密着させた状態で、既存踏み板３１の段鼻部３１ａを覆って固着する。さらに、図５に示すように、段鼻化粧部材１１の横辺部１４の上面に段鼻化粧部材１１の長手方向に延設して設けられた、例えば幅８ｍｍ、深さ５ｍｍ程度の大きさの矩形断面形状を有する第１凹溝１６から、既存踏み板３１に向けて、例えば３．３ｍｍ×４０ｍｍの固定ビス２１を所定間隔をおいて複数打ち込むことで、段鼻化粧部材１１を固定する。
【００２３】
ここで、固定ビス２１の打込み時に段鼻化粧部材１１が割れるのを防止するために、ビスを打ち込むのに先立って、第１凹溝１６の所定の位置に、リード穴（下穴）を形成しておくことが好ましい。また、段鼻化粧部材１１の縦辺部１５の背面には、縦辺部１５の縦幅よりも僅かに短い縦幅を有する、例えば３ｍｍ程度の厚さの薄板スペーサー２５を取り付けておくことが好ましい（図１参照）。縦辺部１５の背面に縦辺部１５の縦幅よりも僅かに短い縦幅の薄板スペーサー２５が取り付けられていることにより、段鼻部３１ａを覆って段鼻化粧部材１１が固定された際に、縦辺部１５と蹴込み板化粧部材１３との間に薄板スペーサー２５が介在することで、縦辺部１５の下端面には板化粧部材１３との間に薄板スペーサー２５の厚さ分の僅かな隙間が保持されることになり、これによって、当該縦辺部１５の下端面に目視で隙間が均等に見えるようにすることが可能になる。
【００２４】
既存の階段の各段において、既存踏み板３１を覆って踏み板化粧部材１２を取り付けるには、図６に示すように、両側の階段側桁部材３０の内寸法Ｂを実測すると共に、段鼻化粧部材１１の横辺部１４の先端から上段の既存蹴込み板３２の表面までの奥行き寸法Ｄを実測する。また、これらの実測値に基づいて、踏み板化粧部材１２を、例えば奥行き寸法Ｄに２〜３ｍｍ程度のクリアランスを考慮した所定の矩形形状を有するように切削加工する。ここで、踏み板化粧部材１２としては、例えば突板貼り合板を用いることができる。板化粧部材１２は、切削加工したものを既存踏み板３１の上面に仮置きしながら繰り返し切削加工して、既存の階段の変形等にその形状が追随できるように微調整することが好ましい。
【００２５】
しかる後に、切削加工した踏み板化粧部材１２は、その裏面の全体に接着剤をムラなく塗布して、例えば段鼻化粧部材１１の横辺部１４の先端と上段の既存蹴込み板３２との間に落し込むと共に、落し込んだ踏み板化粧部材１２を、固定された段鼻化粧部材１１側に密着するまで引き寄せて、図７及び図８に示すように、横辺部１４の先端の呑込み切欠き１７に呑込み凸部１９を挿入配置した状態で、既存踏み板３１を覆って固着する。また踏み板化粧部材１２の段鼻側の角部上面切欠き１８によって横辺部１４の先端面との間に保持された、例えば幅８ｍｍ、深さ５ｍｍ程度の大きさの矩形断面形状を有する第２凹溝２２から、既存踏み板３１に向けて、例えば３．３ｍｍ×４０ｍｍの固定ビス２１を所定間隔をおいて複数打ち込むことで、踏み板化粧部材１２を既存踏み板３１に固定する。
【００２６】
これによって、段鼻化粧部材１１と踏み板化粧部材１２との接合部において、図８（ｂ）に示すように、呑込み切欠き１７と呑込み凸部１９とが係合されると共に、第１凹溝１６及び第２凹溝２２に固定ビス２１が打ち込まれることで、段鼻化粧部材１１の端部と踏み板化粧部材１２の端部が互いに押さえ付けられて、これらが強固に一体接合されることになる。
【００２７】
さらに、本実施形態では、踏み板化粧部材１２における上段の既存蹴込み板３２側の端部に沿って、既存踏み板３１に向けて、例えば３．３ｍｍ×４０ｍｍの固定ビス２１が所定間隔をおいて複数打ち込まれることで、踏み板化粧部材１２における上段の既存蹴込み板３２側の端部もまた、既存踏み板３１に固定されることになる。
【００２８】
ここで、固定ビス２１の打込み時に踏み板化粧部材１２が割れるのを防止するために、ビスを打ち込むのに先立って、第２凹溝２２や既存蹴込み板３２側の端部の所定の位置に、リード穴（下穴）を形成しておくことが好ましい。また、落し込んだ踏み板化粧部材１２を段鼻化粧部材１１側に引き寄せることで、上段の既存蹴込み板３２の下端部表面と、踏み板化粧部材１２の端面との間には隙間が生じることになるが（図１参照）、この隙間は、上段の既存踏み板３１や既存蹴込み板３２をリフォームする際のスペーサ下地材２０や蹴込み板化粧部材１３によって覆い隠されることになる。上段の既存蹴込み板３２側の端部に沿って踏み板化粧部材１２に打ち込まれた固定ビス２１もまた、上段のスペーサ下地材２０や蹴込み板化粧部材１３によって覆い隠されることになる。
【００２９】
本実施形態の階段のリフォーム構造１０は、上述の各工程を、既存の階段の下段から上段に向けて一段づつ順次繰り返し行うことで、既存の階段を覆って形成されることになる。また、最上段の段部である上階の床面との間の接合部においては、例えば段鼻化粧部材１１の横辺部１４の先端面に、上階框や上階の新設床部材を当接接合することによって、リフォーム構造が行われることになる。
【００３０】
さらに、本実施形態では、既存踏み板３１に固定ビス２１によって固定された段鼻化粧部材１１及び踏み板化粧部材１２による第１凹溝１６及び第２凹溝２２には、これらに嵌め込まれるようにして、例えばオレフィン系樹脂等からなる樹脂目地２６が装着固定されている。第１凹溝１６及び第２凹溝２２に樹脂目地２６が装着されていることにより、固定ビス２１を覆い隠すことが可能になると共に、樹脂目地２６は、階段の昇降時の滑止めとして機能することになる。
【００３１】
そして、上述の構成を備える本実施形態の階段のリフォーム構造１０によれば、段鼻化粧部材１１や踏み板化粧部材１２や蹴込み板化粧部材１３を、施工現場で微調整しながら両側の階段側板３０によって挟まれる部分の階段に効率良く取り付けてゆくことができると共に、外観を損うことなく踏み板化粧部材１２を迅速に既存踏み板３１に固定することができる。
【００３２】
すなわち、本実施形態によれば、特に段鼻化粧部材１１及び踏み板化粧部材１２を各々独立した部材として、両側の階段側桁部材３０の内寸法Ｂや上段の既存蹴込み板３２の表面までの奥行き寸法Ｄの実測値に基づいて切削加工すると共に、これらを段鼻部３１ａや既存踏み板３１に仮置きしながら繰り返し切削加工して、既存の階段の変形等にその形状が追随できるように容易に微調整することが可能になると共に、段鼻化粧部材１１の横辺部１４の先端面に形成された呑込み切欠き１７への、踏み板化粧部材１２の端面の呑込み凸部１９の挿入深さを調整することで、既存の階段の変形等による隙間や誤差を吸収して、段鼻化粧部材１１や踏み板化粧部材１２や蹴込み板化粧部材１３を両側の階段側板３０によって挟まれる部分の既存の階段に効率良く取り付てゆくことが可能になる。
【００３３】
また、本実施形態によれば、段鼻化粧部材１１及び踏み板化粧部材１２を、第１凹溝１６及び第２凹溝２２において固定ビス２１を打ち込むことで固定するので、打込んだ固定ビス２１を目立たなくして外観が損なわれないようにすることが可能になると共に、固定ビス２１によって段鼻化粧部材１１や踏み板化粧部材１２を固定するので、これらによって段鼻化粧部材１１や踏み板化粧部材１２を強固に固定して、接着剤が乾くのを待つことなく速やかに階段を昇り降りすることが可能になる。
【００３４】
なお、本発明は上記実施形態に限定されることなく種々の変更が可能である。例えば、第１凹溝及び第２凹溝に樹脂目地を装着する必要は必ずしも無く、階段の両側の一対の階段側板は、階段側桁部材の他、階段の側壁を覆って取り付けられる階段側板等であっても良い。
【符号の説明】
【００３５】
１０  階段のリフォーム構造
１１  段鼻化粧部材
１２  踏み板化粧部材
１３  蹴込み板化粧部材
１４  横辺部
１５  縦辺部
１６  第１凹溝
１７  呑込み切欠き
１８  角部上面切欠き
１９  呑込み凸部
２０  スペーサ下地材
２１  固定ビス（固定部材）
２２  第２凹溝
２４  フイニィシャネイル
２６  樹脂目地
３０  階段側桁部材（階段側板）
３１  既存踏み板
３１ａ  段鼻部
３２  既存蹴込み板
Ｂ    両側の階段側桁部材の内寸法
Ｄ    段鼻化粧部材から上段の既存蹴込み板の表面までの奥行き寸法
Ｈ    既存踏み板の蹴上げ寸法
Ｌ    鼻の出寸法（段鼻部の既存蹴込み板からの突出長さ）
【図１】
0005432696.tif 000002
【図２】
0005432696.tif 000003
【図３】
0005432696.tif 000004
【図４】
0005432696.tif 000005
【図５】
0005432696.tif 000006
【図６】
0005432696.tif 000007
【図７】
0005432696.tif 000008
【図８】
0005432696.tif 000009
【図９】
0005432696.tif 000010